(57)【要約】【課題】草刈り刃の寿命が従来の草刈り刃に比べて長い草刈り刃の提供。【解決手段】本発明に係る草刈り刃１６は、板状である。この草刈り刃１６は、先端部の側面であって草刈り刃の長手方向に延びる側面に切れ刃３０、３２を備えている。この切れ刃３０、３２の背後に切欠４２が形成されており、この切れ刃３０、３２から切欠４２までの背後幅が先端側で狭くされ根元側で広くされている。好ましくは、草刈り刃１６は両刃型であり、切れ刃３０、３２、３４、３６を備えている。この両刃の間にＶ字溝４２が形成されている。好ましくは、草刈り刃１６は、上記Ｖ字溝の底が円弧溝４４で形成されている。【選択図】図３
2009011223.tif 000002
【特許請求の範囲】
【請求項１】
板状であり、
その先端部の側面に、長手方向に延びる切れ刃を備えており、
この切れ刃の背後に切欠が形成されており、
この切れ刃から切欠までの背後幅が先端側で狭くされ根元側で広くされている草刈り刃。
【請求項２】
両刃型であり、
上記切欠が、この両刃の間に形成されたＶ字溝である請求項１に記載の草刈り刃。
【請求項３】
上記Ｖ字溝の底が円弧溝で形成されている請求項２に記載の草刈り刃。
【発明の詳細な説明】
【技術分野】
【０００１】
本発明は、草刈り機に使用される草刈り刃に関する。
【背景技術】
【０００２】
従来から種々の草刈り機が使用されている。例えば、地面に対して平行に板状の草刈り刃を回転させ、この草刈り刃で草を所定の高さに刈り揃えていく草刈り機が使用されている。このような草刈り機に、細長板状の草刈り刃が使用されている。この細長板状の草刈り刃の先端に切れ刃が備えられている。この草刈り刃が地面に対して平行に回転させられ、草が所定の高さに刈り揃えられている。
【０００３】
このような草刈り機として、二軸の回転軸を備えている草刈り機が開示されている。この草刈り機では、一方の草刈り刃が反時計回りに回転させられている。もう一方の草刈り刃が時計回りに回転させられている。二つの草刈り刃が互いに反対向きに回転させられている。二つの草刈り刃の回転領域は一部重複している。この二つの草刈り刃は干渉しないように回転させられている。
【特許文献１】特開２００５−３２３５４９号公報
【発明の開示】
【発明が解決しようとする課題】
【０００４】
このような草刈り刃の切れ刃は使用により摩耗していく。摩耗した草刈り刃では、草が刈り残される。刈り取られた後の草の高さが不揃いになることがある。草刈り刃は、草が刈り残されるようになると新しい草刈り刃に取り替えられている。草刈り刃の寿命が短いと草刈り刃の交換作業が多くなる。また、草刈り刃が多数使用されることとなる。このような背景から寿命の長い草刈り刃が望まれている。
【０００５】
図８は、従来の草刈り刃１０２の先端部１０４の摩耗の進行が示された概念図である。直線ＣＬはこの草刈り刃の中心線である。この草刈り刃１０２は、この直線ＣＬに平行な一の側面に一の切れ刃１０６を備えている。この草刈り刃１０２は、この直線ＣＬに平行な他の側面にも他の切れ刃１０８を備えている。この草刈り刃１０２は、反時計回りに回転させても、時計回りに回転させても草を刈り取ることができる。この草刈り刃１０２は、両刃型の草刈り刃である。
【０００６】
図８（ａ）から図８（ｃ）に順に一の切れ刃１０６の摩耗の進行が示されている。図８（ａ）は初期の先端部１０４の形状が示されている。この草刈り刃１０２を反時計回りに回転させた摩耗の進行が示されている。図８（ｂ）に示すように、切れ刃１０６のコーナで摩耗が進行する。更に摩耗が進むと図８（ｃ）のように摩耗したコーナの先端曲率半径Ｒが大きくなっていく。この草刈り刃１０２は、摩耗が進むと草が刈り取れなくなる。草が刈り取れなくなると、付け替えられる。
【０００７】
発明者は種々の試行の結果、このコーナの先端曲率半径Ｒが大きくなると、草が滑りやすくなり刈り取れなくなることを見出した。草刈り刃は、このコーナの先端曲率半径Ｒが大きくなると草を刈り取れなくなる。
【０００８】
本発明の目的は、草刈り刃の寿命が従来の草刈り刃に比べて長い草刈り刃の提供にある。
【課題を解決するための手段】
【０００９】
本発明に係る草刈り刃は、板状である。この草刈り刃は、先端部の側面に、長手方向に延びる切れ刃を備えている。この切れ刃の背後に切欠が形成されており、この切れ刃から切欠までの背後幅が先端側で狭くされ根元側で広くされている。
【００１０】
好ましくは、草刈り刃は両刃型であり、この両刃の間にＶ字溝が形成されている。好ましくは、草刈り刃は、上記Ｖ字溝の底が円弧溝で形成されている。
【発明の効果】
【００１１】
本発明に係る草刈り刃は、切れ刃の摩耗が進んでもコーナーの先端曲率半径Ｒが大きくならない。この草刈り刃は摩耗が進んでも草を刈ることができる。この草刈り刃の寿命は従来の草刈り刃より長い。草刈り刃の交換頻度を減らすことができる。
【発明を実施するための最良の形態】
【００１２】
以下、適宜図面が参照されつつ、好ましい実施形態に基づいて本発明が詳細に説明される。
【００１３】
図１は、本発明に係る一実施形態の草刈り刃が使用された草刈り機２の側面図である。この草刈り機２は、歩行式草刈り機である。この草刈り機２はカッター基台４を備えている。図２（ａ）は、図１の草刈り機２のカッター基台４のＡ矢視図である。図２（ｂ）は、図１の草刈り機２のカッター基台４の側面図である。説明の便宜上、鉛直方向では地面に近づく向きが下向きである。図２（ａ）の左右方向がＹ軸方向であり、上下方向がＸ軸方向である。この草刈り機２はＹ軸方向左向きを進行方向としている。回転向きは、平面視（Ａ矢視とは逆向き）において、反時計回りの向き、時計回りの向きとしている。
【００１４】
このカッター基台４は、カバー６、第一刃物台８、第二刃物台１０、第一回転軸１２、第二回転軸１４、第一草刈り刃１６及び第二草刈り刃１８を備えている。
【００１５】
図３（ａ）は、図１の草刈り機２に使用されている第一草刈り刃１６の平面図である。図３（ｂ）は、第一草刈り刃１６の側面断面図である。第二草刈り刃１８は、第一草刈り刃１６の形状と同じ形状を有している。
【００１６】
この第一草刈り刃１６は、細長板状である。第一草刈り刃１６は、中央部２０、傾斜部２２及び先端部２４を備えている。第一草刈り刃１６は、中央部２０と傾斜部２２との間で折り曲げられている。第一草刈り刃１６は、傾斜部２２と先端部２４との間で折り曲げられている。中央部２０と傾斜部２２との間は傾斜部２２が下向きに折り曲げられている。傾斜部２２と先端部２４との間は先端部２４が中央部２０と平行になる向きに折り曲げられている。この折り曲げにより中央部２０と先端部２４とは互いに段差を有する略平行な平面上に位置させられている。
【００１７】
この中央部２０の中心には軸孔２６が形成されている。軸孔２６の周辺に回り止め固定孔２８が形成されている。先端部２４には、第一刃３０、第二刃３２、第三刃３４、第四刃３６、Ｖ字溝４２及び円弧溝４４が形成されている。
【００１８】
図４（ａ）は、図３の第一草刈り刃１６の一方の先端部２４の拡大図である。図４（ｂ）は、図３の第一草刈り刃１６の一方の先端部２４の図４（ａ）に示されたＢ矢視図である。直線ＣＬは第一草刈り刃１６の長手方向の中心線である。この直線ＣＬに平行な一の側面に第一刃３０が形成されている。この直線ＣＬに平行な他の側面に第三刃３４が形成されている。先端部２４の側面に、長手方向に延びる第一刃３０及び第三刃３４が形成されている。第一刃３０は、地面に平行な底面３８と傾斜させられた上面４０とで形成されている。第三刃３４も、この第一刃３０と同様に地面の平行な底面３８と傾斜させられて上面４０とで形成されている。
【００１９】
第一刃３０の背後には切欠であるＶ字溝４２が形成されている。第一刃３０とこの背後のＶ字溝４２との間の幅が背後幅である。この背後幅の形状は、先端側の背後幅Ｌ１が狭く、根元側の背後幅Ｌ２が広くされた形状である。角度θは、直線ＣＬとＶ字溝４２のテーパ形状の傾斜とのなす角度である。角度θは図４（ａ）の右向きが０°であり、左向きが１８０°である。この第一刃３０の背後の形状は先端側から根元側に向かって幅が広くなるテーパ形状である。この実施例では、角度θは４５°である。この実施形態では、背後幅Ｌ１は８ｍｍとしている。
【００２０】
Ｖ字溝４２は第一刃３０と第三刃３４との中間に位置している。Ｖ字溝４２の底には円弧溝４４が形成されている。第三刃３４とＶ字溝４２の間の背後幅も第一刃３０の背後幅と同様に形成されている。他方の先端部２４の第二刃３２及び第四刃３６はこの第一刃３０及び第三刃３４と同様に形成されている。
【００２１】
第一回転軸１２及び第二回転軸１４は図示しないエンジンの駆動軸に図示しない駆動ベルトで接続されている。軸孔２６に第一回転軸１２が通されている。回り止め固定孔２８により第一草刈り刃１６は第一回転軸１２に固定されている。この回り止め固定孔２８が回転軸への固定部である。同様に、第二草刈り刃１８は、第二回転軸１４に固定されている。第一回転軸１２及び第二回転軸１４が回転させられる。
【００２２】
図２（ａ）において、第一草刈り刃１６は平面視（Ａ矢視と逆向き）において反時計回りに回転させられる。第二草刈り刃１８は時計回りに回転させられる。第一草刈り刃１６と第二草刈り刃１８とは互いに逆向きに回転させられる。第一草刈り刃１６と第二草刈り刃１８との回転数は同じである。第一草刈り刃１６と第二草刈り刃１８との回転領域は一部が重なっている。第一草刈り刃１６と第二草刈り刃１８とは互いに一方の長尺方向がＹ軸方向であるとき、他方の長尺方向がＸ軸方向となっている。このように位相がずれているので、回転領域が重複していても、この二つのカッター１６と１８とは干渉しない。
【００２３】
この第一草刈り刃１６は、両刃型の草刈り刃である。図３で反時計回りの回転向きでは第一刃３０及び第二刃３２が草を刈り取る。時計回りの回転向きでは第三刃３４及び第四刃３６が草を刈り取る。この第一草刈り刃１６は時計回りの回転向き及び反時計回りの回転向きの両方の回転向きに使用される。
【００２４】
草刈り機２は歩行者に手押しされて又はエンジンの駆動により前進していく。回転している第一草刈り刃１６及び第二草刈り刃１８により草が刈られていく。刈り取られた草は切れ刃の傾斜させられた上面４０により跳ね上げられる。
【００２５】
図５は、第一草刈り刃１６の摩耗の進行が示された概念図である。図５（ａ）から図５（ｅ）の順に先端部２４の摩耗の進行が示されている。図５（ａ）は初期の先端部２４の形状が示されている。図５（ａ）に示されたようにこの先端部２４は矢印Ｗで示された向きに回転させられている。先端部２４は図５（ｂ）に示されるように第一刃３０のコーナから摩耗していく。更に摩耗が進むと摩耗がテーパ形状に至る。このテーパ形状が摩耗により削られていく。
【００２６】
図５（ｃ）、（ｄ）、（ｅ）に示されたように、テーパ形状に達した摩耗が進むと先端がテーパ形状の底に向かって後退していく。この後退によりコーナの先端曲率半径Ｒが大きくなることが抑制される。このコーナの先端曲率半径Ｒが大きくならないことにより、従来のカッターよりも摩耗が進んだ状態でも草が滑らず刈り取られている。この第一カッタ１６は従来のカッターより寿命が長くなっている。
【００２７】
この背後幅Ｌ１が長い草刈り刃は、コーナの先端曲率半径が大きく成長しやすい。この観点から背後幅Ｌ１は１２ｍｍ以下が好ましい。この背後幅Ｌ１が小さくなりすぎると刃先の強度が不足する。刃先の強度確保の観点から、背後幅Ｌ１は６ｍｍ以上が好ましい。
【００２８】
草刈り刃をその全長に亘り背後幅Ｌ１とすると強度が低下する。強度確保の観点から、背後幅が先端側で狭く、根元側で広くされた形状に形成されている。この観点から、テーパ形状が好ましい。このテーパ形状の角度θは、３０°以上が好ましい。第一刃３０の摩耗が進むと背後幅が背後幅Ｌ１からＬ２に徐々に広くなっていく。角度θが大きいとこの背後幅が摩耗により早く広くなる。背後幅が広くなるとコーナの先端曲率半径Ｒが大きくなり易い。この観点から、角度θは６０°以下が好ましい。
【００２９】
この第一草刈り刃１６は、第一刃３０と第三刃３４との間に切欠であるＶ字溝４２が形成されている。強度を確保する観点から、この第一草刈り刃１６の材質としては、ばね鋼（例えばＳＵＰ１０）が好ましい。
【００３０】
この第一草刈り刃１６は、Ｖ字溝４２の底には円弧溝４４が形成されている。この円弧溝４４により応力集中が緩和されている。
【００３１】
この第一草刈り刃１６は、草が刈り取れなくなると取り外される。第一回転軸１２から取り外された第一草刈り刃１６は第二回転軸１４へ取り付けられる。一方、同様に第二回転軸１４から取り外された第二草刈り刃１８は第一回転軸１２に取り付けられる。この第一草刈り刃１６及び第二草刈り刃１８は両刃型のため、第一回転軸１２と第二回転軸１４とで草刈り刃が入れ替えられる。
【００３２】
図６は第二回転軸１４に取り付けられた第一草刈り刃１６の摩耗の進行が示された概念図である。第二回転軸１４は平面視（図１のＡ矢視と逆向き）にて時計回りに回転する。第一回転軸１２と第二回転軸１４とは逆方向に回転する。第二回転軸１４に取り付けられた第一草刈り刃１６は、第三刃３４及び第四刃３６が草刈り刃として使用されている。図６（ａ）から（ｅ）の順に、第三刃３４の摩耗が進行する。摩耗が進むにつれて先端がＶ字溝４２の底に向かって後退していく。この先端の後退によりコーナの先端曲率半径Ｒが大きく成長しない。このコーナの先端曲率半径Ｒが大きく成長しないことにより、従来のカッターよりも刃の寿命が長くなっている。
【００３３】
第三刃３４の先端が摩耗すると、第一刃３０の背後のＶ字溝４２の先端が摩耗する。図６（ｄ）、（ｅ）の矢印Ｃに示されるように、第一刃３０のコーナの先端曲率半径Ｒが最も大きい先端が摩耗する。この摩耗により第一刃３０のコーナの先端曲率半径Ｒが小さくなる。この第一刃３０は再び草を刈ることができる。この第一草刈り刃１６は再び第一回転軸１２に取り付けられる。この再生された第一刃３０により草が刈り取られる。この草刈り刃は両刃型において、特に草刈り刃の寿命を長くできる。
【００３４】
ここでは、第一刃３０及び第三刃３４について説明したが、第二刃３２及び第四刃３６も同様である。第一回転軸１２に取り付けられその後に第二回転軸１４に取り付けられた第一草刈り刃１６について説明したが、第二回転軸１４に先に取り付けられる第二草刈り刃１８についても同様である。
【００３５】
この実施形態では、二軸の回転軸を備えた草刈り機２について説明したが、一軸の回転軸を備えて逆回転可能とされた草刈り機でも三軸以上の回転軸を備えた草刈り機でも、この草刈り刃は同様の効果を発揮する。
【００３６】
図７（ａ）は、本発明の他の実施形態に係る草刈り刃４６の平面図である。図７（ｂ）は、図７（ａ）の草刈り刃４６の側面図である。ここでは、前述の一実施形態と異なる部分の説明がされる。前述の一実施形態と同じ部分についてはその説明が省略される。説明の便宜上、鉛直方向では地面に近づく向きが下向きである。
【００３７】
草刈り刃４６は、細長板状であって、板状の先端が二つに分かれた形状である。この草刈り刃４６は、４つの傾斜部４８、５０、５２、５４と４つの先端部５６、５８、６０、６２とを備えている。図７（a）において、中央部２０と傾斜部４８との間は傾斜部４８が下向きに折り曲げられている。傾斜部４８と先端部５６との間は先端部５６が中央部２０と平行になる向きに折り曲げられている。中央部２０と先端部５６は略平行に配置させられている。傾斜部５０及び先端部５８は、傾斜部４８及び先端部５６と同じ形状とされている。
【００３８】
中央部２０と傾斜部５２との間は傾斜部５２が上向きに折り曲げられている。傾斜部５２と先端部６０との間は先端部６０が中央部２０と平行になる向きに折り曲げられている。中央部２０と先端部６０は略平行に配置させられている。傾斜部５４及び先端部６２は、傾斜部５２及び先端部６０と同じ形状とされている。
【００３９】
先端部５６の側面に、長手方向に延びる切れ刃６４、６８が形成されている。この切れ刃６４、６８の間には切欠であるＶ字溝４２及び円弧溝４４が形成されている。先端部５８の形状は、先端部５６と同じ形状である。先端部５８には切れ刃６６、７０が形成されている。
【００４０】
先端部６０の側面に、長手方向に延びる切れ刃７２、７６が形成されている。この切れ刃７２、７６の間には切欠であるＶ字溝４２及び円弧溝４４が形成されている。先端部６２の形状は、先端部６０と同じ形状である。先端部６２には切れ刃７４、７８が形成されている。
【００４１】
この草刈り刃４６が図１に示された草刈り機に使用される。この草刈り刃４６は、第一回転軸１２に取り付けられる。図７（ａ）において、この草刈り刃４６は軸孔２６を中心にして反時計回りの向きＷで示された向きに回転させられる。この草刈り刃４６は反時計回り向きのカッターである。この草刈り刃では、反時計回り向き前側の先端部５６、５８が後側の先端部６０、６２より地面に近く配置される。回転向き前側の先端部５６、５８の切れ刃６４、６６が草を刈り取る。回転向き後側の先端部６０、６２の切れ刃７２、７４が刈り取られた草を更に細かく切断する。この草刈り刃４６もＶ字溝４２を有しているので、図１から６に示された実施形態と同様に切れ刃が摩耗していく。この草刈り刃４６は従来のカッターよりも刃の寿命が長い。
【００４２】
切れ刃が摩耗するとこの草刈り刃は一旦取り外されて、裏表を逆にして同じ第一回転軸１２に取り付けられる。反時計回り向き前側の先端部６０、６２が後側の先端部５６、５８より地面に近く配置される。反時計回りに回転させられると、切れ刃７６、７８が草を刈り取る。切れ刃６８、７０が刈り取られた草を更に細かく切断する。この草刈り刃４６もＶ字溝４２を有しているので、図１から６に示された実施形態と同様に切れ刃が摩耗していく。この草刈り刃４６は従来のカッターよりも刃の寿命が長い。
【００４３】
ここでは、反時計回りの向きのカッターである草刈り刃４６が説明された。時計回りの向きのカッターでは、時計回りの向き前側の先端部が後側の先端部より地面に近く配置される。その他の構成はこの草刈り刃４６と同じである。その時計回り向きのカッターが第二回転軸１４に取り付けられる。草刈り刃４６と同様に切れ刃が摩耗すると一旦外されて、裏表を逆にして同じ第二回転軸１４に取り付けられて使用される。
【産業上の利用可能性】
【００４４】
本発明は、平地、田の畦、道路の路肩などの草刈り機の草刈り刃に適用されうる。
【図面の簡単な説明】
【００４５】
【図１】図１は、本発明の草刈り刃が使用された草刈り機の側面図である。
【図２】図２（ａ）は図１の草刈り機のカッター基台のＡ矢視図であり、図２（ｂ）は図１の草刈り機のカッター基台の側面図である。
【図３】図３（ａ）は図１の草刈り機に使用されている第一草刈り刃の平面図であり、図３（ｂ）は図１の草刈り機に使用されている第一草刈り刃の側面断面図である。
【図４】図４（ａ）は図３の第一草刈り刃の一方の先端部の拡大図であり、図４（ｂ）は図３の第一草刈り刃の一方の先端部の図４（ａ）に示されたＢ矢視図である。
【図５】図５は、第一草刈り刃の摩耗の進行が示された概念図である。
【図６】図６は、第二回転軸に取り付けられた第一草刈り刃の摩耗の進行が示された概念図である。
【図７】図７（ａ）は図１の草刈り機に使用される、本発明の他の実施形態に係る草刈り刃の平面図であり、図７（ｂ）は図７（ａ）の草刈り刃の側面図である。
【図８】図８は、従来の草刈り刃の先端部の摩耗の進行が示された概念図である。
【符号の説明】
【００４６】
２・・・草刈り機
４・・・カッター基台
６・・・カバー
８・・・第一刃物台
１０・・・第二刃物台
１２・・・第一回転軸
１４・・・第二回転軸
１６・・・第一草刈り刃
１８・・・第二草刈り刃
２０・・・中央部
２２・・・傾斜部
２４・・・先端部
２６・・・軸孔
２８・・・回り止め固定孔
３０・・・第一刃
３２・・・第二刃
３４・・・第三刃
３６・・・第四刃
３８・・・底面
４０・・・上面
４２・・・Ｖ字溝
４４・・・円弧溝
４６・・・草刈り刃
４８・・・傾斜部
５０・・・傾斜部
５２・・・傾斜部
５４・・・傾斜部
５６・・・先端部
５８・・・先端部
６０・・・先端部
６２・・・先端部
６４・・・切れ刃
６６・・・切れ刃
６８・・・切れ刃
７０・・・切れ刃
７２・・・切れ刃
７４・・・切れ刃
７６・・・切れ刃
７８・・・切れ刃
１０２・・・草刈り刃
１０４・・・先端部
１０６・・・一の刃
１０８・・・他の刃
【図１】
2009011223.tif 000003
【図２】
2009011223.tif 000004
【図３】
2009011223.tif 000005
【図４】
2009011223.tif 000006
【図５】
2009011223.tif 000007
【図６】
2009011223.tif 000008
【図７】
2009011223.tif 000009
【図８】
2009011223.tif 000010